(57)【要約】【課題】  電子機器側のケーブル引き出し位置が異なる場合でも、アダプタのケーブルの向きを調整することで、アダプタの互換性を向上させる。【解決手段】  アダプタ収納部を備えた電子機器と、ケーブルを備え、前記アダプタ収納部に挿入接続されるアダプタとで構成されるアダプタ接続構造であって、前記アダプタ収納部は、電子機器側端子と、前記アダプタの挿入方向に延長する案内手段とを有し、前記アダプタは、前記電子機器側端子と接続されるアダプタ側端子が設けられたアダプタ本体と、前記アダプタ本体に回動可能に取り付けられたケーブル保持部とを有し、前記ケーブル保持部には、前記ケーブルを取り付けるとともに、前記ケーブル保持部の回動によって前記アダプタ本体との相対位置を調整可能なケーブル取付部と、前記案内手段と係合して前記ケーブルの向きを規制するケーブル方向規制手段が形成されていることを特徴とする。【選択図】  図１
2005064674.tif 000002
【特許請求の範囲】
【請求項１】
アダプタ収納部を備えた電子機器と、ケーブルを備え、前記アダプタ収納部に挿入接続されるアダプタとで構成されるアダプタ接続構造であって、
前記アダプタ収納部は、電子機器側端子と、前記アダプタの挿入方向に延長する案内手段とを有し、
前記アダプタは、前記電子機器側端子と接続されるアダプタ側端子が設けられたアダプタ本体と、前記アダプタ本体に回動可能に取り付けられたケーブル保持部とを有し、
前記ケーブル保持部には、前記ケーブルを取り付けるとともに、前記ケーブル保持部の回動によって前記アダプタ本体との相対位置を調整可能なケーブル取付部と、前記案内手段と係合して前記ケーブルの向きを規制するケーブル方向規制手段とが形成されていることを特徴とするアダプタ接続構造。
【請求項２】
前記案内手段が、前記電子機器のアダプタ入口側から奥に向かって延長する案内溝であって、前記ケーブル方向規制手段が前記ケーブル保持部に形成された突起であることを特徴とする請求項１に記載のアダプタ接続構造。
【請求項３】
前記案内溝は、前記電子機器のアダプタ入口側から奥に向かって溝幅が狭まるように形成されていることを特徴とする請求項２に記載のアダプタ接続構造。
【請求項４】
前記案内手段が、前記アダプタの挿入方向に沿って延長する案内突起であって、前記ケーブル方向規制手段が前記ケーブル保持部に形成された溝であることを特徴とする請求項１に記載のアダプタ接続構造。
【発明の詳細な説明】
【技術分野】
【０００１】
本発明は、カメラ等の電子機器に取り付けるアダプタの接合構造に関する。
【背景技術】
【０００２】
従来から銀塩カメラやデジタルスチルカメラ等の電子機器の多くは、携帯性を考慮して電池または充電式バッテリーを主電源として作動するように構成されている。その一方で、カメラのアクセサリとして、電池室の形状に合致するアダプターを介して、電子機器を外部電源に接続するＡＣアダプタユニットが知られている（特許文献１および特許文献２参照）。
【特許文献１】特許第２６６４９５２号公報
【特許文献２】特開２００１−２１５５８５号公報
【発明の開示】
【発明が解決しようとする課題】
【０００３】
上記した電子機器のＡＣアダプタユニットでは、カメラの電池室にアダプターを収納した後、ケーブルを電池室から引き出す必要がある。しかし、電池室の配置はカメラごとに異なるため、アダプタのケーブルの配置も、カメラ側のケーブル引き出し位置に対応するようにカメラ毎に別個に設計する必要がある。そのため、例えば電池室の向きが異なる場合などでは、ＡＣアダプタユニットの互換性が保てないこともある。すなわち、複数のカメラを所持するユーザーはある機種のＡＣアダプタユニットを他の機種に流用できずに、それぞれのカメラに対応したＡＣアダプタユニットの購入を余儀なくされる。また販売者側では種類の異なるＡＣアダプタユニットをそれぞれ用意する必要があり、双方にとって煩雑であった。
【０００４】
本発明は、上記従来技術の課題を解決するためにされたものであり、電子機器側のケーブル引き出し位置が異なる場合でも、アダプタのケーブルの向きを調整することで、アダプタの互換性を向上させることである。
【課題を解決するための手段】
【０００５】
請求項１に記載の発明は、アダプタ収納部を備えた電子機器と、ケーブルを備え、前記アダプタ収納部に挿入接続されるアダプタとで構成されるアダプタ接続構造であって、前記アダプタ収納部は、電子機器側端子と、前記アダプタの挿入方向に延長する案内手段とを有し、前記アダプタは、前記電子機器側端子と接続されるアダプタ側端子が設けられたアダプタ本体と、前記アダプタ本体に回動可能に取り付けられたケーブル保持部とを有し、前記ケーブル保持部には、前記ケーブルを取り付けるとともに、前記ケーブル保持部の回動によって前記アダプタ本体との相対位置を調整可能なケーブル取付部と、前記案内手段と係合して前記ケーブルの向きを規制するケーブル方向規制手段とが形成されていることを特徴とする。
【０００６】
請求項２に記載の発明は、請求項１の発明において、前記案内手段が、前記電子機器のアダプタ入口側から奥に向かって延長する案内溝であって、前記ケーブル方向規制手段が前記ケーブル保持部に形成された突起であることを特徴とする。
請求項３に記載の発明は、請求項２の発明において、前記案内溝は、前記電子機器のアダプタ入口側から奥に向かって溝幅が狭まるように形成されていることを特徴とする。
【０００７】
請求項４に記載の発明は、請求項１の発明において、前記案内手段が、前記アダプタの挿入方向に沿って延長する案内突起であって、前記ケーブル方向規制手段が前記ケーブル保持部に形成された溝であることを特徴とする。
（作用）
本発明のアダプタ接合構造は、電子機器およびアダプタの接続時において、アダプタ収納部に設けられた案内手段（案内溝または案内突起）と、回動可能なケーブル保持部に設けられたケーブル方向規制手段（突起または溝）とが係合して、ケーブル保持部の回動が拘束される。そして、アダプタ収納部にアダプタが収納された状態では、ケーブル保持部に取り付けられたケーブルの向きが所定の方向に規制される。
【発明の効果】
【０００８】
本発明のアダプタ接続構造では、電子機器側の案内手段とアダプタ側のケーブル方向規制手段との係合によって、ケーブルの向きを所定の方向に規制して電子機器およびアダプタを接続することができる。すなわち、電子機器側のケーブル引き出し位置が異なる場合でも、ケーブル引き出し位置に応じて案内手段を変更することでアダプタを共用でき、アクセサリの互換性が向上する。
【０００９】
また、アダプタの表裏を逆にして電子機器に挿入する場合には、案内手段またはケーブル方向規制手段が引っ掛かってアダプタの挿入が阻止されるため、電子機器にアダプタを誤挿入するおそれが減少する。
【発明を実施するための最良の形態】
【００１０】
以下、図面に基づいて本発明の実施の形態を詳細に説明する。
（第１実施形態）
図１から図８は、本発明の第１実施形態のアダプタ接続構造を示す図である（請求項１から請求項３に対応する）。第１実施形態のアダプタ接続構造は、ＡＣアダプタユニット１をカメラ２に設けられた電池室（アダプタ収納部）３に接続する例である。
【００１１】
ＡＣアダプタユニット１は、コネクタ４を備えた電源部５と、電源部５とケーブル６で接続されたアダプタ７とから構成されている。このアダプタ７はカメラ２の電池室３に収納されるものであり、その全体形状は電池と同形状に形成され、アダプタ７が電池室３に合致するようになっている。そして、アダプタ７は、先端側に端子（アダプタ側端子）８が設けられたアダプタ本体９と、アダプタ本体９の後端側隅部に取り付けられたケーブル保持部１０とから構成されている。
【００１２】
このケーブル保持部１０はアダプタ本体９に対して回動可能に取り付けられている。第１実施形態の例では、ケーブル保持部１０は略円筒形状に形成され、ケーブル保持部１０の円中心に回転軸が位置するようになっている。そして、ケーブル保持部１０の円周面には、ケーブル６の一端が取り付けられてケーブル取付部１１が形成されている。このケーブル取付部１１の位置は、ケーブル保持部１０の回転によって、アダプタ本体９の側面から後端面までの９０度の範囲で調整することができる。
【００１３】
また、第１実施形態では、ケーブル保持部１０の円形面（回転軸直交面）には、２つの突起１２が形成されている。この２つの突起１２はケーブル取付部１１とケーブル保持部１０の円形面中心とを通過する直線上にそれぞれ配置されている。なお、この突起１２は、後述の案内手段と係合することで、ケーブル６の向きを規制するケーブル方向規制手段として機能する。
【００１４】
一方、カメラ２の電池室３には、端子８に対応する端子（電子機器側端子）１３と、案内溝１４が形成されている。この案内溝１４は、電池室３にアダプタ７を挿入したときに、突起１２と係合して案内手段として機能する。この案内溝１４は、カメラ２のアダプタ入口側から奥に向かって、アダプタ７の挿入方向に沿って延長するように形成されている。そして、案内溝１４の溝幅および溝深さは、少なくとも突起１２が通過できる大きさに設定されている。
【００１５】
ここで、案内溝１４の形状はケーブル６の引き出し方向によって相違する。例えば、図３に示すように、ケーブル６をアダプタ７の後方から取り出す場合は、突起１２がアダプタ７の挿入方向に沿って前後に並ぶので、電池室３の案内溝１４は１つで足りる（図５、図６参照）。一方、図４に示すように、ケーブル６をアダプタ７の側方から取り出す場合には、突起１２がアダプタ７の挿入方向に対して左右に並行するので、電池室３の案内溝１４は２つ必要になる（図７、図８参照）。
【００１６】
なお、特に限定するものではないが、案内溝１４は、カメラ２のアダプタ入口側から奥に向かって溝幅が次第に狭まるように形成するのが好ましい（すなわち、入口側溝幅ｄ1＞最奥部溝幅ｄ2）。これは、ケーブル６の向きが所望のケーブル引き出し方向と合致しない状態で電池室３にアダプタ７を挿入する場合でも、溝幅が次第に狭まる案内溝１４に突起１２が当接してケーブル保持部１０を回動させ、ケーブル６を所定の方向に向けるようにしたものである。
【００１７】
第１実施形態のアダプタ接続構造は上記のように構成され、以下、その作用を簡単に説明する。カメラ２の電池室３にアダプタ７を挿入するとき、電池室３の案内溝１４にケーブル保持部１０の突起１２が係合する。そして、アダプタ本体９に対してケーブル保持部１０の回動が拘束され、アダプタ７が完全に挿入された状態では、ケーブル６が案内溝１４の形状に応じて所定の方向に向く（図６、図８参照）。一方、アダプタ７の表裏を逆にして電池室３に挿入する場合には、突起１２が電池室３の入口で引っ掛かってアダプタ７の誤挿入が阻止される。
【００１８】
（第２実施形態）
図９から図１３は、本発明の第２実施形態のアダプタ接続構造を示す図である（請求項１および請求項４に対応する）。第２実施形態では、電池室３側の案内手段を案内突起とし、アダプタ７側のケーブル方向規制手段を溝にした点で第１実施形態と相違する。なお、第２実施形態において、第１実施形態と同一の構成には同一の符号を付して説明を省略する。
【００１９】
第２実施形態では、アダプタ本体９の先端から後端に向けて２本の溝１５が平行に形成されている。また、ケーブル保持部１０の円形面（回転軸直交面）には、ケーブル保持部１０の円形面を縦断する１本の溝１６と、溝１６にそれぞれＴ字状に直交する２本の溝１７とが形成されている。溝１６は、所定位置でアダプタ本体９の溝１５の片方と合致して１本の直線状の溝をなす。また、溝１７は、溝１５および溝１６の合致する位置からケーブル保持部１０を９０度回転させた位置でアダプタ本体９の溝１５にそれぞれ合致して、２本の直線状の溝をなすようになっている。
【００２０】
一方、カメラ２の電池室３には、アダプタ７の挿入方向に延長する案内突起１８が形成されている。案内突起１８の大きさは、溝１５、１６、１７と係合できるように設定される。また、案内突起１８の形状はケーブル６の引き出し方向によって相違する。例えば、ケーブル６をアダプタ７の後方から取り出す場合には、案内突起１８が溝１５、１６に係合するように１本の突起１８ａで形成されている（図１０、図１１参照）。また、ケーブル６をアダプタ７の側方から取り出す場合には、案内突起１８ｂが溝１５、１７に係合するように２本の突起で形成されている（図１２、図１３参照）。なお、案内突起１８ａは電池室３の最奥部から入口まで形成されているが、案内突起１８ｂは電池室３の入口の手前までしか形成されていない点で相違がある。これは、溝１７の長さが溝１６の長さよりも短いため、案内突起１８ｂもこれに対応させたものである。
【００２１】
第２実施形態のアダプタ接続構造は上記のように構成され、以下、その作用を簡単に説明する。第２実施形態では、電池室３の案内突起１８に対応するように、ユーザーはケーブル保持部１０を回動させて、溝１６または溝１７をアダプタ本体９の溝１５に合致させる。そして、電池室３にアダプタ７を挿入する。ここで、溝１６または溝１７が所定の位置にない状態（すなわち、ケーブル６が所定の方向に向いていない場合）では、案内突起１８がケーブル保持部１０などに当接して引っ掛かるので、アダプタ７を電池室３に完全に挿入することはできない。したがって、案内突起１８により、ケーブル６の向きを規制することができる。
【００２２】
（実施形態の補足事項）
以上、本発明を上記の実施形態によって説明してきたが、本発明の技術的範囲は上記実施形態に限定されるものではない。例えば、上記実施形態では、カメラとＡＣアダプタユニットの接続例を説明したがこの組み合わせに限定されず、カメラと外部記録装置の接続構造や、他の電子機器とＡＣアダプタユニットの接続などに適用してもよい。
【産業上の利用可能性】
【００２３】
本発明は、例えば、カメラおよびＡＣアダプタユニットの接続構造などにおいて、カメラごとにケーブルの引き出し位置が異なる場合でも、アダプタの共用を可能としアクセサリの互換性を向上させる。
【図面の簡単な説明】
【００２４】
【図１】第１実施形態のアダプタ接続構造を示す斜視図である。
【図２】第１実施形態のケーブル保持部の回動を示す斜視図である。
【図３】ケーブルをアダプタ後方から取り出す場合のカメラおよびアダプタの位置関係を示す図である。
【図４】ケーブルをアダプタ側方から取り出す場合のカメラおよびアダプタの位置関係を示す図である。
【図５】アダプタを電池室に挿入する状態の１例を示す図である。
【図６】図５でアダプタが電池室に挿入された状態を示す図である。
【図７】アダプタを電池室に挿入する状態の１例を示す図である。
【図８】図７でアダプタが電池室に挿入された状態を示す図である。
【図９】第２実施形態のアダプタ接続構造を示す斜視図である。
【図１０】アダプタを電池室に挿入する状態の１例を示す図である。
【図１１】図１０でアダプタが電池室に挿入された状態を示す図である。
【図１２】アダプタを電池室に挿入する状態の１例を示す図である。
【図１３】図１２でアダプタが電池室に挿入された状態を示す図である。
【符号の説明】
【００２５】
１    ＡＣアダプタユニット
２    カメラ
３    電池室（アダプタ収納部）
４    コネクタ
５    電源部
６    ケーブル
７    アダプタ
８    端子（アダプタ側端子）
９    アダプタ本体
１０  ケーブル保持部
１１  ケーブル取付部
１２  突起
１３  端子（電子機器側端子）
１４  案内溝
１５、１６、１７  溝
１８、１８ａ、１８ｂ  案内突起
【図１】
2005064674.tif 000003
【図２】
2005064674.tif 000004
【図３】
2005064674.tif 000005
【図４】
2005064674.tif 000006
【図５】
2005064674.tif 000007
【図６】
2005064674.tif 000008
【図７】
2005064674.tif 000009
【図８】
2005064674.tif 000010
【図９】
2005064674.tif 000011
【図１０】
2005064674.tif 000012
【図１１】
2005064674.tif 000013
【図１２】
2005064674.tif 000014
【図１３】
2005064674.tif 000015